(57)【要約】  基地局へのＡＣＫおよびＮＡＣＫビットの改善された送信のための方法および装置。例となる方法は、シーケンス長、仮説の数、またはＯＦＤＭシンボルを共有するＵＥの数、のうちの１つまたは複数に基づいて、第１のＵＥと第２のＵＥとの間の距離を決定し得る。例となる方法は、第１のＵＥと第２のＵＥの各々に関する複数のサイクリックシフトを決定し得る。例となる方法は、各ＵＥに１つまたは複数のシーケンスを割り当て得る。例となる方法は、基地局において、多重化信号を受信し得、多重化信号は、ＯＦＤＭシンボルを介して送信されるアップリンクショートバースト上に多重化された、第１のＵＥおよび第２のＵＥからのアップリンク制御情報（ＵＣＩ）の少なくとも１つのビットを含む。方法は、多重化信号中の複数のＵＥからのＵＣＩの受信を可能にし得る。
2020517192.tif 000002
【特許請求の範囲】
【請求項１】
ワイヤレス通信の方法であって、
基地局において、複数のユーザ機器（ＵＥ）のうちの第１のＵＥと第２のＵＥとの間の距離を決定することと、ここにおいて、前記距離は、シーケンス長、仮説の数、または直交周波数分割多重化（ＯＦＤＭ）シンボルを共有するＵＥの数、のうちの１つまたは複数に基づいて決定され、
前記基地局において、前記第１のＵＥと前記第２のＵＥの各々に関する複数のサイクリックシフトを決定することと、ここにおいて、前記複数のサイクリックシフトは、ベースシーケンスに関連して、および前記距離と前記ＯＦＤＭシンボルを共有するＵＥの前記数とに基づいて決定され、
前記第１のＵＥおよび前記第２のＵＥの各々に１つまたは複数のシーケンスを割り当てることと、ここにおいて、前記第１のＵＥおよび前記第２のＵＥに割り当てられた前記１つまたは複数のシーケンスは、前記第１のＵＥおよび前記第２のＵＥに関連付けられた対応する複数のサイクリックシフトに基づいており、
前記基地局において、多重化信号を受信することと、ここにおいて、前記多重化信号は、前記ＯＦＤＭシンボルを介して送信されるアップリンクショートバースト上に多重化された、前記第１のＵＥおよび前記第２のＵＥからのアップリンク制御情報（ＵＣＩ）の少なくとも１つのビットを含む、
を備える、方法。
【請求項２】
前記距離は、仮説距離、ユーザ距離、またはランダムな距離であり、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、請求項１に記載の方法。
【請求項３】
前記距離は、前記仮説距離であり、前記仮説距離は、１つのＵＥに関連付けられた第１の仮説と第２の仮説との間の距離であり、前記ＵＥは、前記第１のＵＥまたは前記第２のＵＥである、請求項２に記載の方法。
【請求項４】
前記仮説距離は、最大仮説距離である、請求項３に記載の方法。
【請求項５】
前記第１の仮説はＡＣＫであり、前記第２の仮説はＮＡＣＫである、請求項３に記載の方法。
【請求項６】
前記距離は、前記ユーザ距離であり、前記ユーザ距離は、前記第１のＵＥと第２のＵＥとの間の距離である、請求項２に記載の方法。
【請求項７】
前記ユーザ距離は、最大ユーザ距離である、請求項６に記載の方法。
【請求項８】
前記距離は、前記第１のＵＥおよび前記第２のＵＥへの、シーケンスのランダムな割り当てに基づく、請求項２に記載の方法。
【請求項９】
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、請求項１に記載の方法。
【請求項１０】
２つの前記複数のサイクリックシフトの間の前記仮説距離は、１つのＵＥからの２つのＵＣＩ仮説に関して６である、請求項９に記載の方法。
【請求項１１】
前記複数のサイクリックシフトの任意の２つの隣接するサイクリックシフトの間の最小仮説距離は、１つのＵＥからの４つのＵＣＩ仮説に関して３である、請求項９に記載の方法。
【請求項１２】
前記多重化信号を受信することは、最大２ビットのＵＣＩの前記少なくとも１つのビットに関する短い物理アップリンク制御チャネル（ＰＵＣＣＨ）において、前記少なくとも１つのＳＲビットおよび前記少なくとも１つのＡＣＫビットを受信することを含む、請求項９に記載の方法。
【請求項１３】
ＵＣＩの前記少なくとも１つのビットは、多くとも１つのスケジューリング要求（ＳＲ）ビット、多くとも２つの確認応答（ＡＣＫ）ビット、または多くとも１つのＳＲビットおよび多くとも２つのＡＣＫビットを備える、請求項９に記載の方法。
【請求項１４】
前記シーケンスは、１２インデックスの長さを有する、請求項１に記載の方法。
【請求項１５】
１つのサイクリックシフトは、単一のスケジューリング要求（ＳＲ）のみを含む、請求項１に記載の方法。
【請求項１６】
前記多重化信号は、前記第１のＵＥおよび前記第２のＵＥの両方からのＵＣＩを含む、請求項１に記載の方法。
【請求項１７】
基地局であって、
メモリと、
前記メモリと通信状態であるプロセッサとを備え、前記プロセッサは、
複数のＵＥのうちの第１のＵＥおよび第２のＵＥのための１つまたは複数の周波数リソースを決定することと、
前記第１のＵＥおよび前記第２のＵＥの各々に、前記決定された１つまたは複数の周波数リソースを割り当てることと、
前記第１のＵＥおよび前記第２のＵＥの各々に、１つまたは複数のサイクリックシフトを割り当てることと、
多重化信号を受信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記第１のＵＥおよび前記第２のＵＥからのアップリンク制御情報（ＵＣＩ）の少なくとも１つのビットを含む、
ように構成された、基地局。
【請求項１８】
前記１つまたは複数の周波数リソースは、異なる帯域に位置し、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、請求項１７に記載の基地局。
【請求項１９】
前記１つまたは複数の周波数リソースは、前記第１のＵＥおよび前記第２のＵＥに関する異なるくし状部に基づく、請求項１７に記載の基地局。
【請求項２０】
前記１つまたは複数のサイクリックシフトは、最大仮説距離を有する、請求項１７に記載の基地局。
【請求項２１】
２つの前記複数のサイクリックシフトの間の前記仮説距離は、１つのＵＥからの２つのＵＣＩ仮説に関して６である、請求項２０に記載の基地局。
【請求項２２】
前記複数のサイクリックシフトの任意の２つの隣接するサイクリックシフトの間の最小仮説距離は、１つのＵＥからの４つのＵＣＩ仮説に関して３である、請求項２０に記載の基地局。
【請求項２３】
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、請求項１７に記載の基地局。
【請求項２４】
ＵＣＩの前記少なくとも１つのビットは、多くとも１つのスケジューリング要求（ＳＲ）ビット、多くとも２つの確認応答（ＡＣＫ）ビット、または多くとも１つのＳＲビットおよび多くとも２つのＡＣＫビットを備える、請求項２３に記載の基地局。
【請求項２５】
１つのサイクリックシフトは、単一のスケジューリング要求（ＳＲ）のみを含む、請求項１７に記載の基地局。
【請求項２６】
前記多重化信号は、前記第１のＵＥおよび前記第２のＵＥの両方からのＵＣＩを含む、請求項１７に記載の基地局。
【請求項２７】
ワイヤレス通信の方法であって、
ＵＥにおいて、基地局によって前記ＵＥに割り当てられた１つまたは複数のシーケンスを受信することと、ここにおいて、前記１つまたは複数のシーケンスは、前記ＵＥに関連付けられた複数のサイクリックシフトに基づいて前記基地局によって割り当てられ、ベースシーケンスに関連して、および前記ＵＥと第２のＵＥとの間の距離と、直交周波数分割多重化（ＯＦＤＭ）シンボルを共有するＵＥの数とに基づいて、前記基地局によって決定され、
前記ＵＥによって、多重化信号の一部としてアップリンク制御情報（ＵＣＩ）を送信することと、ここにおいて、前記多重化信号は、前記ＯＦＤＭシンボルを介して送信されるアップリンクショートバースト上に多重化された、前記ＵＥおよび第２のＵＥからのＵＣＩの少なくとも１つのビットを含む、
を備える、方法。
【請求項２８】
前記距離は、シーケンス長、仮説の数、または前記ＯＦＤＭシンボルを共有するＵＥの前記数、のうちの１つまたは複数に基づいて前記基地局によって決定される、請求項２７に記載の方法。
【請求項２９】
ワイヤレス通信の方法であって、
前記ＵＥにおいて、基地局によって決定された１つまたは複数の周波数リソースおよび１つまたは複数のシフトを受信することと、
前記ＵＥによって、多重化信号の一部としてアップリンク制御情報（ＵＣＩ）を送信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記ＵＥおよび前記第２のＵＥからのＵＣＩの少なくとも１つのビットを含む、
を備える、方法。
【請求項３０】
前記１つまたは複数の周波数リソースは、異なる帯域に位置し、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、請求項２９に記載の方法。
【発明の詳細な説明】
【関連出願の相互参照】
【０００１】
[0001]  本特許出願は、２０１８年３月２９日付で出願された「MULTIPLEXING FOR SEQUENCE BASED ACKNOWLEDGEMENT DESIGN FOR NEW RADIO」と題された米国非仮特許出願第１５／９４０，７１０号、および２０１７年４月１７日付で出願された「MULTIPLEXING FOR SEQUENCE BASED ACKNOWLEDGEMENT DESIGN FOR NEW RADIO」と題された米国仮特許出願第６２／４８６，４１４号に対する優先権を主張し、これらはその譲受人に譲渡され、その全体が参照により本明細書に組み込まれている。
【背景技術】
【０００２】
[0002]  本開示の態様は、一般に、ワイヤレス通信ネットワークに関し、より具体的には、ワイヤレス通信における確認応答（ＡＣＫ）または否定確認応答（ＮＡＣＫ）を送信するための技法に関する。
【０００３】
[0003]  ワイヤレス通信ネットワークは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびシングルキャリア周波数分割多元接続（ＳＣ−ＦＤＭＡ）システムを含む。
【０００４】
[0004]  これらの多元接続技術は、異なるワイヤレスデバイスが都市、国家、地域、さらには地球規模で通信することを可能にする共通プロトコルを提供するために、様々な電気通信規格で採用されている。例えば、第５世代（５Ｇ）ワイヤレス通信技術（新規の無線（ＮＲ：new radio）と呼ばれ得る）は、現在のモバイルネットワーク世代に関連する様々な使用法のシナリオおよびアプリケーションを拡大およびサポートすると考えられる。一態様では、５Ｇ通信技術は、マルチメディアコンテンツ、サービス、およびデータにアクセスするためのヒューマンセントリックな（human-centric）使用ケースを扱う拡張型モバイルブロードバンドと、レイテンシおよび信頼性に関する特定の規格を用いた高信頼性低レイテンシ通信（ＵＲＬＬＣ：ultra-reliable-low latency communications）と、大容量マシンタイプ通信とを含むことができ、これらは、非常に多くの接続デバイスおよび比較的低量の非遅延センシティブ情報（non-delay-sensitive information）の送信を可能にすることができる。しかしながら、モバイルブロードバンドアクセスに対する需要が高まり続けるにつれ、ＮＲ通信技術におけるさらなる改善や、それを超えることが望まれ得る。
【０００５】
[0005]  例えば、新規の無線（ＮＲ）では、アップリンク（ＵＬ）ショートバースト中で１つまたは２つのＡＣＫ／ＮＡＣＫビットを送信するために、シーケンスベースの（sequence based）ＡＣＫ／ＮＡＣＫ技法が使用され得る。しかしながら、シーケンスベースのＡＣＫ／ＮＡＣＫ技法は、複数のＵＥ（例えば、ユーザ）のＡＣＫ／ＮＡＣＫが１つの基地局に送信される場合に十分に機能（work）しない可能性がある。
【０００６】
[0006]  よって、基地局にＡＣＫ／ＮＡＣＫを効率的に送信するための、改善された技法に対するニーズが存在する。
【発明の概要】
【０００７】
[0007]  以下は、１つまたは複数の態様の基本的理解を提供するために、そのような態様の簡略化された概要を提示する。この概要は、全ての企図された態様の広範な概観ではなく、全ての態様の主要なまたは重要な要素を識別することも、任意の態様の範囲を定めることも意図していない。その唯一の目的は、後で提示するより詳細な説明の導入として、１つまたは複数の態様の概念を簡略化された形で提示することである。
【０００８】
[0008]  一態様では、本開示は、ワイヤレス通信のための方法、装置およびコンピュータ可読媒体を含む。例となる方法は、基地局において、複数のユーザ機器（ＵＥ）のうちの第１のＵＥと第２のＵＥとの間の距離を決定し得、ここにおいて、距離は、シーケンス長、仮説の数、または直交周波数分割多重化（ＯＦＤＭ）シンボルを共有するＵＥの数、のうちの１つまたは複数に基づいて決定される。例となる方法は、基地局において、第１のＵＥと第２のＵＥの各々に関する複数のサイクリックシフトを決定し得、ここにおいて、複数のサイクリックシフトは、ベースシーケンスに関連して、および距離とＯＦＤＭシンボルを共有するＵＥの数とに基づいて決定される。例となる方法は、第１のＵＥおよび第２のＵＥの各々に１つまたは複数のシーケンスを割り当て得、ここにおいて、第１のＵＥおよび第２のＵＥに割り当てられた１つまたは複数のシーケンスは、第１のＵＥおよび第２のＵＥに関連付けられた対応する複数のサイクリックシフトに基づく。例となる方法は、基地局において、多重化信号を受信し得、ここにおいて、多重化信号は、ＯＦＤＭシンボルを介して送信されるアップリンクショートバースト上に多重化された、第１のＵＥおよび第２のＵＥからのアップリンク制御情報（ＵＣＩ）の少なくとも１つのビットを含み、ＵＣＩは、確認応答（ＡＣＫ）、否定ＡＣＫ（ＮＡＣＫ）、またはスケジューリング要求（ＳＲ）のうちの１つまたは複数を含む。
【０００９】
[0009]  さらなる態様では、本開示は、ワイヤレス通信のための方法、装置およびコンピュータ可読媒体を含む。例となる方法は、基地局において、複数のＵＥのうちの第１のＵＥおよび第２のＵＥのための１つまたは複数の周波数リソースを決定し得る。例となる方法は、基地局において、第１のＵＥおよび第２のＵＥの各々に、決定された１つまたは複数の周波数リソースを割り当て得る。例となる方法は、基地局において、第１のＵＥおよび第２のＵＥの各々に、１つまたは複数のサイクリックシフトを割り当てることを含み得る。方法は、基地局において、多重化信号を受信し得、ここにおいて、多重化信号は、ＯＦＤＭシンボルを介して送信されるアップリンクショートバースト上の周波数分割多重化（ＦＤＭ）または符号分割多重化（ＣＤＭ）に基づいた、第１のＵＥおよび第２のＵＥからのＵＣＩの少なくとも１つのビットを含み、ＵＣＩは、ＡＣＫ、ＮＡＣＫ、またはスケジューリング要求ＳＲのうちの１つまたは複数を含む。
【００１０】
[0010]  一態様では、本開示は、ワイヤレス通信のための方法、装置およびコンピュータ可読媒体を含む。例となる方法は、基地局によってＵＥに割り当てられた１つまたは複数のシーケンスを受信し得、ここで、１つまたは複数のシーケンスは、ＵＥに関連付けられた複数のサイクリックシフトに基づいて基地局によって割り当てられ、ベースシーケンスに関連して、およびＵＥと第２のＵＥとの間の距離と、直交ＯＦＤＭシンボルを共有するＵＥの数とに基づいて、基地局によって決定される。方法は、多重化信号の一部としてＵＣＩを送信し得、ここにおいて、多重化信号は、ＯＦＤＭシンボルを介して送信されるアップリンクショートバースト上に多重化された、ＵＥおよび第２のＵＥからのＵＣＩの少なくとも１つのビットを含む。
【００１１】
[0011]  このような態様では、距離は、シーケンス長、仮説の数、またはＯＦＤＭシンボルを共有するＵＥの数、のうちの１つまたは複数に基づいて、基地局によって決定され得る。
【００１２】
[0012]  さらなる態様では、本開示は、ワイヤレス通信のための方法、装置およびコンピュータ可読媒体を含む。例となる方法は、基地局によって決定された１つまたは複数の周波数リソースを受信し得る。方法は、多重化信号の一部としてアップリンク制御情報（ＵＣＩ）を送信し得、ここにおいて、多重化信号は、直交周波数分割多重化（ＯＦＤＭ）シンボルを介して送信されたアップリンクショートバースト上のＦＤＭまたはＣＤＭに基づいた、第１のＵＥおよび第２のＵＥからのＵＣＩの少なくとも１つのビットを含む。
【００１３】
[0013]  本開示はまた、上述された方法を実行するためのコンポーネントを有するか、あるいは実行するための手段または実行するように構成された装置を含む。本開示はまた、上述された方法を行うためにプロセッサによって実行可能な１つまたは複数のコードを記憶するコンピュータ可読媒体を含む。
【００１４】
[0014]  上記のおよび関係する目的を達成するために、１つまたは複数の態様が説明され、特に特許請求の範囲で指摘する特徴を備える。この説明および添付の図面は、１つまたは複数の態様のうちの特定の例示的な特徴を詳細に記載している。しかしながら、これらの特徴は、様々な態様の原理が採用され得る方法のほんのいくつかを示すものであり、この説明は、全てのそのような態様およびそれらの均等物を含むものとする。
【図面の簡単な説明】
【００１５】
[0015]  開示された態様は、下記で添付された図面に関連して説明され、開示された態様を制限するためではなく例示するために提供され、同様の表記は同様の要素を示す。
【図１】[0016]  図１は、ワイヤレス通信のために本開示に従って構成された通信コンポーネントを有する少なくとも基地局と、本開示に従って構成された対応する通信コンポーネントを有する少なくとも２つのユーザ機器とを含むワイヤレス通信ネットワークの概略図である。
【図２】[0017]  図２は、ダウンリンクセントリックスロット（downlink centric slot）および／またはアップリンクセントリックスロット（uplink centric slot）を含む、例となるスロット（またはフレーム）構造を図示する。
【図３Ａ】[0018]  図３Ａは、本開示の態様に従った、仮説距離（hypothesis distance）を最大化する例となる多重化技法を図示する。
【図３Ｂ】[0019]  図３Ｂは、本開示の態様に従った、ユーザ距離を最大化する例となる多重化技法を図示する。
【図３Ｃ】[0020]  図３Ｃは、本開示の態様に従った、サイクリックシフトのランダムな割り振り（またはシーケンスの割り当て）に基づいた、例となる多重化技法を図示する。
【図４】[0021]  図４は、本開示の態様におけるシフトされたシーケンスの例を図示する。
【図５Ａ】[0022]  図５Ａは、周波数領域においてＵＥが異なる帯域で分離され得る、例となる周波数分割多重化（ＦＤＭ）技法を図示する。
【図５Ｂ】[0023]  図５Ｂは、異なるＵＥによって占有された周波数がインターレースされた、例となるＦＤＭ技法を図示する。
【図６】[0024]  図６は、間欠送信（ＤＴＸ：discontinuous transmission）をサポートするための位相ランピング（phase ramping）６００を用いたフラクショナルシフト（fractional shifts）の例を図示する。
【図７Ａ】[0025]  図７Ａは、上述された態様に従って、ワイヤレス通信においてユーザ距離に基づいて信号を多重化する、例となる方法を図示する。
【図７Ｂ】[0026]  図７Ｂは、上述された態様に従った、ワイヤレス通信の例となる方法を図示する。
【図８Ａ】[0027]  図８Ａは、上述された態様に従った、ワイヤレス通信において受信シーケンスに基づいて多重化信号を送信する、例となる方法を図示する。
【図８Ｂ】[0028]  図８Ｂは、上述された態様に従った、ワイヤレス通信において受信されたｆに基づいて多重化信号を送信する、例となる方法を図示する。
【図９】[0029]  図９は、図１の基地局の、例となるコンポーネントの概略図である。
【図１０】[0030]  図１０は、図１のＵＥの、例となるコンポーネントの概略図である。
【詳細な説明】
【００１６】
[0031]  次に、図面を参照して様々な態様について説明する。以下の説明では、説明のために、１つまたは複数の態様の完全な理解を提供するために多数の具体的な詳細を記載する。しかしながら、このような態様がこれらの具体的な詳細なしに実施され得ることは明らかだろう。さらに、「コンポーネント」という用語は、本明細書で使用される場合、システムを構成するパーツのうちの１つであり得、ハードウェア、ファームウェア、および／またはコンピュータ可読媒体上に記憶されたソフトウェアであり得、他のコンポーネントに分割され得る。
【００１７】
[0032]  本開示は、一般に、距離に基づいて、多重化信号への異なるユーザ機器（ＵＥ）アップリンク制御情報（ＵＣＩ）のマッピングを可能にすることに関する。例えば、基地局（例えば、ｇＮＢ）は、シーケンス長、仮説の数、または直交周波数分割多重化（ＯＦＤＭ）シンボルを共有するＵＥの数、のうちの１つまたは複数に基づいて、２つのＵＥの間の距離を決定し得る。この距離は、ＯＦＤＭシンボルを共有するＵＥの数およびベースシーケンスに沿って、ＵＥの各々に関する複数のサイクリックシフトを決定するためにｇＮＢによって使用され得る。１つまたは複数のシーケンスは、複数のサイクリックシフトに基づいて各ＵＥに割り当てられ得る。それらシーケンスは、ｇＮＢにＵＣＩを送信するためのリソースを割り振るためにＵＥによって使用され得る。よって、ｇＮＢは、ＯＦＤＭシンボルを介して送信されるアップリンクショートバースト上に多重化された、第１のＵＥおよび第２のＵＥからのＵＣＩの少なくとも１つのビットを含む多重化信号を受信し得、ここで、ＵＣＩは、確認応答（ＡＣＫ）、否定ＡＣＫ（ＮＡＣＫ）、またはスケジューリング要求（ＳＲ）のうちの１つまたは複数を含む。
【００１８】
[0033]  本開示はオプションで、距離が、仮説距離、ユーザ距離、またはランダムな距離であることを含み得る。仮説距離は、第１のＵＥまたは第２のＵＥに関連付けられた、第１の仮説と第２の仮説との間の距離であり得る。いくつかの実装では、仮説距離は、最大の利用可能な仮説距離であり得る。いくつかの態様では、第１の仮説はＡＣＫであり得、第２の仮説はＮＡＣＫであり得る。
【００１９】
[0034]  本開示は、オプションで、距離が第１のＵＥと第２のＵＥとの間のユーザ距離であることを含み得る。いくつかの態様では、ユーザ距離は、最大ユーザ距離であり得る。しかしながら、いくつかの実装では、距離は、第１のＵＥおよび第２のＵＥへの、シーケンスのランダムな割り当てに基づく。
【００２０】
[0035]  本開示は、オプションで、１つまたは複数のＵＣＩビットが少なくとも１つのＳＲビットおよび少なくとも１つのＡＣＫビットを備えることを含み得る。例えば、ＵＣＩビットは、２ビットのハイブリッド自動再送要求（ＨＡＲＱ）−ＡＣＫおよびＳＲであり得る。このような態様では、ｇＮＢによって決定されたサイクリックシフト間の距離が制約され得る。例えば、２つの複数のサイクリックシフトの間の距離は、６である。いくつかの実装では、複数のサイクリックシフトのうちの任意の２つの隣接するサイクリックシフト間の距離は、３であり得る。いくつかの態様では、ＵＣＩは、少なくとも１つのＳＲビット、少なくとも１つのＡＣＫビット、または少なくとも１つのＳＲビットおよび少なくとも１つのＡＣＫビットを含み得る。いくつかの態様では、ＵＣＩは、多くとも１つのＳＲビット、多くとも２つのＡＣＫビット、または多くとも１つのＳＲビットおよび多くとも２つのＡＣＫビットを含み得る。
【００２１】
[0036]  さらに、本開示は一般に、周波数に基づいて、多重化信号への異なるＵＥのＵＣＩのマッピングを可能にすることに関する。例えば、ｇＮＢは、２つのＵＥのための１つまたは複数の周波数リソースおよびシフトを決定し得る。ｇＮＢは、ＵＥの各々に周波数リソースを割り当て得る。周波数リソースおよびシフトはＵＣＩを生成し、多重化信号を介してそれを送信するために、ＵＥによって使用され得る。ｇＮＢは、ＯＦＤＭシンボルを介して送信されるアップリンクショートバースト上のＦＤＭまたはＣＤＭに基づいた、第１のＵＥおよび第２のＵＥからのＵＣＩの少なくとも１つのビットを含む多重化信号を受信し得る。いくつかの実装では、ＵＣＩは、ＡＣＫ、ＮＡＣＫ、またはＳＲのうちの１つまたは複数を含み得る。
【００２２】
[0037]  本開示は、オプションで、１つまたは複数の周波数リソースが、異なる帯域に位置することを含み得る。さらに、本開示は、オプションで、１つまたは複数の周波数リソースが、第１のＵＥおよび第２のＵＥに関する異なるくし状部に基づくことを含み得る。いくつかの実装では、１つまたは複数のサイクリックシフトは、最大仮説距離を有し得る。
【００２３】
[0038]  本開示の他の態様は、一般に、ｇＮＢにＵＣＩの少なくとも１つのビットを送信するために、距離に基づいて、多重化信号への異なるＵＥ ＵＣＩのｇＮＢ割り当てマッピング（gNB assigned mapping）をＵＥが使用できることに関し得る。例えば、ＵＥは、ｇＮＢによってＵＥに割り当てられた１つまたは複数のシーケンスを受信し得る。ｇＮＢは、ＵＥに関連付けられた複数のサイクリックシフトに基づいて、１つまたは複数のシーケンスがＵＥに割り当てられると前に決定されている可能性がある。これらのサイクリックシフトは、順にｇＮＢによって前に決定され得、ベースシーケンスに関連して、およびＵＥと第２のＵＥとの間の距離、並びに直交ＯＦＤＭシンボルを共有するＵＥの数に基づいて、ｇＮＢによって決定され得る。距離は、シーケンス長、仮説の数、またはＯＦＤＭシンボルを共有するＵＥの数、のうちの１つまたは複数に基づいて、ｇＮＢによって決定され得る。ＵＥは、物理アップリンク制御チャネル（ＰＵＣＣＨ）において、ＵＣＩの割り当てられた１つまたは複数のシーケンス構成送信（the assigned one or more sequences configure transmission）を使用し得る。ＵＥは、多重化信号の一部としてＵＣＩを送信し得、多重化信号は、ＯＦＤＭシンボルを介して送信されるアップリンクショートバースト上に多重化された、ＵＥおよび第２のＵＥからのＵＣＩの少なくとも１つのビットを含む。
【００２４】
[0039]  本開示のさらなる態様は、一般に、ｇＮＢにＵＣＩの少なくとも１つのビットを送信するために、周波数に基づいて、多重化信号への異なるＵＥ ＵＣＩのｇＮＢ割り当てマッピングをＵＥが使用できることに関し得る。例えば、ＵＥは、ｇＮＢによって決定された１つまたは複数の周波数リソースおよび１つまたは複数のサイクリックシフトを受信する。これらシフトおよび周波数リソースは、様々な技法を用いてｇＮＢによって決定され得る。ＵＥは、多重化信号の一部としてアップリンク制御情報（ＵＣＩ）を送信するために、割り当てられた周波数リソースおよびシフトを使用し得、ここにおいて、多重化信号は、直交周波数分割多重化（ＯＦＤＭ）シンボルを介して送信されたアップリンクショートバースト上のＦＤＭまたはＣＤＭに基づいた、第１のＵＥおよび第２のＵＥからのＵＣＩの少なくとも１つのビットを含む。
【００２５】
[0040]  本開示の様々な態様は、複数のシーケンスベースのＡＣＫ／ＮＡＣＫ／ＳＲの送信中のエラーおよびドロップビット（dropped bits）を低減し得る。これら態様は、単一の多重化信号上で搬送される、ＰＵＣＣＨへの異なるＵＥのＡＣＫ／ＮＡＣＫ／ＳＲをマッピングするための方法を提供する。容易に定義可能なパラメータに基づくマッピング技法を提供することによって（例えば、ＵＥ距離および周波数シフト）、様々な態様は、単一の多重化信号中で複数のＵＥ ＵＣＩ情報を送信／受信するための方法。
【００２６】
[0041]  本開示のさらなる特徴が図１〜図９に関して以下でより詳細に説明される。
【００２７】
[0042]  本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信ネットワークのために使用され得ることに留意されたい。「システム」および「ネットワーク」という用語は、しばしば互換的に使用される。ＣＤＭＡシステムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、ワイドバンドＣＤＭＡ（ＷＣＤＭＡ（登録商標））およびＣＤＭＡの他の変形を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などのような無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ（登録商標））およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明された技法は、上述されたシステムおよび無線技術ならびに他のシステムおよび無線技術のために使用され得、共有無線周波数スペクトルバンド上のセルラ（例えば、ＬＴＥ）通信を含む。以下の説明は、例示のためにＬＴＥ／ＬＴＥ−Ａシステムを説明しており、以下の説明の大部分でＬＴＥ用語が使用されるが、これら技法は、ＬＴＥ／ＬＴＥ−Ａアプリケーションを超えて（例えば、５Ｇネットワークまたは他の次世代通信システムに）適用可能である。
【００２８】
[0043]  以下の説明は例を提供するものであり、特許請求の範囲で述べられる範囲、適用可能性、または例を限定するものではない。本開示の範囲から逸脱することなく、説明される要素の機能および配列において変更がなされ得る。様々な例は、必要に応じて、様々なプロシージャまたはコンポーネントを省略、代用、または追加し得る。例えば、説明される方法は、説明されるものとは異なる順序で行われ得、また、様々なステップが追加、省略、または組み合わせられ得る。また、いくつかの例に関して説明された特徴は、他の例中で組み合わせられ得る。
【００２９】
[0044]  図１を参照すると、本開示の様々な態様に従った、例となるワイヤレス通信ネットワーク１００は、決定コンポーネント１５２、サイクリックシフト決定コンポーネント１５４、割り当てコンポーネント１５６、および／または受信コンポーネント１５８の実行を管理する通信コンポーネント１５０を有するモデム１４０を用いた、少なくとも１つの基地局１０５（例えば、ｅＮＢ、ｇＮＢなど）を含む。例となるワイヤレス通信ネットワーク１００はさらに、例えば、ＵＥ１１０などの第１のＵＥ、およびＵＥ１１２などの第２のＵＥのような、複数のＵＥを含み得る。ＵＥ１１０はさらに、通信コンポーネント１９０を有するモデム１８０を含み得る。通信コンポーネント１９０は、割り当て受信コンポーネント１９２を含み得、それは、ＵＥ１１０が多重化信号にＰＵＣＣＨのためのＵＣＩビットをマッピングするために使用し得るそのようなシーケンス、周波数リソース、および／またはシフトの、ｇＮＢからの制御情報を受信し得る。通信コンポーネント１９０はまた、基地局１０５にＡＣＫ、ＮＡＣＫ、および／またはスケジューリング要求（ＳＲ）を送信するためのＵＣＩ送信コンポーネント１９４を含み得る。ＵＥ１１２は、アップリンクショートバースト上での基地局１０５への送信のためにＡＣＫ／ＮＡＣＫがＵＥ１１０のＡＣＫ／ＮＡＣＫと多重化され得る、通信コンポーネント１９０のインスタンスを用いた別のＵＥであり得る。
【００３０】
[0045]  本開示によると、例えば、基地局１０５は、ＯＦＤＭシンボルを介して、ＵＬショートバースト上の多重化され受信されたＡＣＫまたはＮＡＣＫまたはスケジューリング要求（ＳＲ）を受信し得る。ＤＬセントリックスロットまたはＵＬセントリックスロットのＵＬショートバーストは、１つまたは２つのＯＦＤＭシンボルを用いて構成され得、ＵＥからの、例えばＡＣＫまたはＮＡＣＫビット、あるいはＳＲのような、アップリンク制御情報（ＵＣＩ）などのタイムセンシティブな情報（time-sensitive information）を搬送するために使用され得る。
【００３１】
[0046]  １ビットのＵＬショートバースト構成では、２つの仮説ＡＣＫおよびＮＡＣＫがサポートされ得る。このメカニズムは、２よりも多くの仮説、例えば、３つ、４つ、５つ、またはそれよりも多くの仮説をサポートするために拡張され得、シーケンスベースのＡＣＫ設計は低いピーク対平均電力比（ＰＡＰＲ）を提供するが、それは、より高いペイロードについては最適ではない。従って、複数のＵＥからのＡＣＫ／ＮＡＣＫは、基地局１０５にＡＣＫ／ＮＡＣＫを効率的に搬送するために、ＵＬショートバーストの１つまたは２つのＯＦＤＭシンボル上に多重化され得る。ＡＣＫ／ＮＡＣＫは、符号分割多重化（ＣＤＭ）、帯域幅ベースまたくし状部ベースであり得る周波数分割多重化（ＦＤＭ）、あるいは時分割多重化を使用して多重化され得る。通常、ＣＤＭを使用するとき、異なるユーザは、異なるサイクリックシフトで分離される。例えば、合計がＮのシフトと、Ｍのユーザとが与えられた場合、各ユーザは、仮説検証（hypothesis testing）のためのＮ／Ｍシフトを有している。例えば、Ｍ＝２ユーザに対してＮ＝４シフトである場合、各ユーザは、１ビットのＡＣＫを有する。通常、ＦＤＭを使用するとき、異なるユーザは、異なる周波数で分離され、それは、異なる帯域または異なるくし状部を使用することを含み得る。より多くの周波数ダイバーシティに関しては、くし状部ベースのＦＤＭがより適している可能性がある。例えば、２つのくし状部のうちの１つが各々Ｍ＝２ユーザの場合、仮説検証のために各々が２シーケンスを有している。通常、ＴＤＭを使用しているとき、異なるユーザは異なるＯＦＤＭシンボルを使用して送信する。ＴＤＭを使用しているときに複数のシンボルが利用可能な場合、異なるユーザは、異なるシンボルを使用する。複数のシンボルが利用可能なとき、いくつかの実装では、各ユーザがダイバーシティのために周波数ホッピングを用いて複数のシンボル上で送信するため、複数のユーザに対してはくし状部ベースの設計のＣＤＭを使用する方が適している可能性がある。
【００３２】
[0047]  １つの態様では、ＣＤＭは、ＯＦＤＭシンボル上の複数のＡＣＫ／ＮＡＣＫを多重化するために使用され得る。例えば、通信コンポーネント１５０は、複数のＵＥのうちの第１のＵＥ（例えば、ＵＥ１１０）と第２のＵＥ（例えば、ＵＥ１１２）との間の距離を決定し得、ここにおいて、距離は、シーケンス長、仮説の数、または直交周波数分割多重化（ＯＦＤＭ）シンボルを共有するＵＥの数、のうちの１つまたは複数に基づいて決定される。さらに、通信コンポーネント１５０は、第１のＵＥと第２のＵＥの各々に関する複数のサイクリックシフトを決定し、ここにおいて、複数のサイクリックシフトは、ベースシーケンスに関連して、および距離とＯＦＤＭシンボルを共有するＵＥの数とに基づいて決定される。さらに、通信コンポーネント１５０は、第１のＵＥおよび第２のＵＥの各々に１つまたは複数のシーケンスを割り当て、ここにおいて、第１のＵＥおよび第２のＵＥに割り当てられた１つまたは複数のシーケンスは、第１のＵＥおよび第２のＵＥに関連付けられた対応する複数のサイクリックシフトに基づく。さらに、通信コンポーネント１５０（決定コンポーネント１５２、サイクリックシフト決定コンポーネント１５４、割り当てコンポーネント１５６、および／または受信コンポーネント１５８を含み得る）は、多重化信号を受信し、ここにおいて、多重化信号は、ＯＦＤＭシンボルを介して送信されるアップリンクショートバースト上に多重化された、第１のＵＥおよび第２のＵＥからの確認応答（ＡＣＫ）または否定確認応答（ＮＡＣＫ）を含む。
【００３３】
[0048]  いくつかの態様では、ＦＤＭまたはＣＤＭは、ＯＦＤＭシンボル上でＡＣＫ／ＮＡＣＫを多重化するために使用され得る。例えば、通信コンポーネント１５０は、複数のＵＥのうちの第１のＵＥおよび第２のＵＥのための１つまたは複数の周波数リソースを決定し得る。さらに、通信コンポーネント１５０は、第１のＵＥおよび第２のＵＥの各々に、決定された１つまたは複数の周波数リソースを割り当て得る。さらに、通信コンポーネント１５０は、多重化信号を受信し得、ここにおいて、多重化信号は、直交周波数分割多重化（ＯＦＤＭ）シンボルを介して送信されたアップリンクショートバースト上のＦＤＭまたはＣＤＭに基づいた、第１のＵＥおよび第２のＵＥからの確認応答（ＡＣＫ）または否定ＡＣＫ（ＮＡＣＫ）を含む。
【００３４】
[0049]  ワイヤレス通信ネットワーク１００は、１つまたは複数の基地局１０５、１つまたは複数のＵＥ１１０、およびコアネットワーク１１５を含み得る。コアネットワーク１１５は、ユーザ認証、アクセス承認、追跡、インターネットプロトコル（ＩＰ）接続性、および他のアクセス、ルーティング、またはモビリティ機能を提供し得る。基地局１０５は、バックホールリンク１２０（例えば、Ｓ１など）を通してコアネットワーク１１５とインタフェースし得る。基地局１０５は、ＵＥ１１０との通信のためのスケジューリングおよび無線構成を行い得るか、または基地局コントローラ（図示せず）の制御下で動作し得る。様々な例では、基地局１０５は、ワイヤードまたはワイヤレス通信リンクであり得るバックホールリンク１２５（例えば、Ｘ１など）上で互いに直接的にまたは間接的に（例えば、コアネットワーク１１５を通して）通信し得る。
【００３５】
[0050]  基地局１０５は、１つまたは複数の基地局アンテナを介してＵＥ１１０とワイヤレスに通信し得る。基地局１０５の各々は、それぞれの地理的カバレッジエリア１３０に対して通信カバレッジを提供し得る。いくつかの例では、基地局１０５は、ベーストランシーバ局、無線基地局、アクセスポイント、無線トランシーバ、ノードＢ、ｅノードＢ（ｅＮＢ）、ｇＮＢ、ホームノードＢ、ホームｅノードＢ、リレー、または何らかの他の適切な用語で呼ばれ得る。基地局１０５の地理的なカバレッジエリア１３０は、カバレッジエリア（図示せず）の一部のみを構成するセルまたはセクタに分割され得る。ワイヤレス通信ネットワーク１００は、異なるタイプの基地局１０５（例えば、以下に説明されるマクロ基地局またはスモールセル基地局）を含み得る。さらに、複数の基地局１０５が、複数の通信技術のうちの異なるもの（例えば、５Ｇ（新規の無線すなわち「ＮＲ」、第４世代（４Ｇ）／ＬＴＥ、３Ｇ、Ｗｉ−Ｆｉ、Ｂｌｕｅｔｏｏｔｈ（登録商標）など）に従って動作し得るため、異なる通信技術ごとに、地理的なカバレッジエリア１３０のオーバーラップが存在し得る。
【００３６】
[0051]  いくつかの例では、ワイヤレス通信ネットワーク１００は、ＮＲまたは５Ｇ技術、ロングタームエボリューション（ＬＴＥ）またはＬＴＥ−Ａｄｖａｎｃｅｄ（ＬＴＥ−Ａ）またはＭｕＬＴＥｆｉｒｅ技術、Ｗｉ−Ｆｉ技術、Ｂｌｕｅｔｏｏｔｈ技術、または任意の他の長いまたは短い範囲のワイヤレス通信技術を含む通信技術のうちの１つまたはそれらの任意の組み合わせであり得るか、あるいはそれらを含み得る。ＬＴＥ／ＬＴＥ−Ａ／ＭｕＬＴＥｆｉｒｅネットワークでは、発展型ノードＢ（ｅＮＢ）という用語は一般に、基地局１０５を説明するために使用され得、一方ＵＥという用語は一般に、ＵＥ１１０を説明するために使用され得る。ワイヤレス通信ネットワーク１００は、異なるタイプのｇＮＢが様々な地理的領域のためのカバレッジを提供する異種技術ネットワークであり得る。例えば、各ｇＮＢまたは基地局１０５は、マクロセル、スモールセル、または他のタイプのセルのための通信カバレッジを提供し得る。「セル」という用語は、コンテキストに従って、基地局、基地局に関連付けられたキャリアまたはコンポーネントキャリア、あるいはキャリアまたは基地局のカバレッジエリア（例えば、セクタなど）を説明するために使用されることができる、３ＧＰＰの用語である。
【００３７】
[0052]  マクロセルは一般に、比較的広い地理的エリア（例えば、半径数キロメートル）をカバーし得、ネットワークプロバイダにサービス加入しているＵＥ１１０による無制限のアクセスを可能にし得る。
【００３８】
[0053]  スモールセルは、マクロセルと同じまたは異なる周波数帯域（例えば、ライセンス、アンライセンスなど）で動作し得る、マクロセルと比較して比較的低い送信電力の基地局を含み得る。スモールセルは、様々な例によると、ピコセル、フェムトセル、およびマイクロセルを含み得る。例えば、ピコセルは、狭い地理的エリアをカバーし得、ネットワークプロバイダにサービス加入しているＵＥ１１０による無制限のアクセスを可能にし得る。フェムトセルはまた、狭い地理的エリア（例えば、住宅）をカバーし得、（例えば、制限付きのアクセスのケースでは、住宅内のユーザのＵＥ１１０を含み得る、基地局１０５のクローズド加入者グループ（ＣＳＧ）内のＵＥ１１０などの）フェムトセルと関連のあるＵＥ１１０による制限付きのアクセスおよび／または無制限のアクセスを提供し得る。マクロセルのためのｇＮＢは、マクロｇＮＢと呼ばれ得る。スモールセルのためのｇＮＢは、スモールセルｇＮＢ、ピコｇＮＢ、フェムトｇＮＢ、またはホームｇＮＢと呼ばれ得る。ｇＮＢは、１つまたは複数（例えば、２つ、３つ、４つなど）のセル（例えば、コンポーネントキャリア）をサポートし得る。
【００３９】
[0054]  様々な開示された例のうちのいくつかに適合し得る通信ネットワークは、レイヤードプロトコルスタックに従って動作するパケットベースのネットワークであり得、ユーザプレーンにおけるデータは、ＩＰに基づき得る。ユーザプレーンプロトコルスタック（例えば、パケットデータコンバージェンスプロトコル（ＰＤＣＰ）、無線リンク制御（ＲＬＣ）、ＭＡＣなど）は、論理チャネル上での通信のために、パケットセグメント化およびリアセンブリを行い得る。例えば、ＭＡＣレイヤは、トランスポートチャネルへの論理チャネルの多重化および優先処理（priority handling）を行い得る。ＭＡＣレイヤはまた、リンク効率を改善するために、ＭＡＣレイヤにおける再送信を提供するためのハイブリッド自動再送要求（ＨＡＲＱ）を使用し得る。制御プレーンでは、ＲＲＣプロトコルレイヤは、ＵＥ１１０と基地局１０５との間のＲＲＣ接続の確立、構成、および管理を提供し得る。ＲＲＣプロトコルレイヤはまた、ユーザプレーンデータのための無線ベアラをサポートするコアネットワーク１１５のためにも使用され得る。物理（ＰＨＹ）レイヤにおいて、トランスポートチャネルは、物理チャネルにマッピングされ得る。
【００４０】
[0055]  ＵＥ１１０は、ワイヤレス通信ネットワーク１００全体に分散され得、各ＵＥ１１０は、固定式またはモバイルであり得る。ＵＥ１１０はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得るか、またはそれらを含み得る。ＵＥ１１０は、セルラフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、スマートスイッチ、ワイヤレスローカルループ（ＷＬＬ）局、エンターテインメントデバイス、乗物コンポーネント、加入者宅内機器（ＣＰＥ）、またはワイヤレス通信ネットワーク１００中で通信することが可能な任意のデバイスであり得る。さらに、ＵＥ１１０は、いくつかの態様では、ワイヤレス通信ネットワーク１００または他のＵＥ１１０と頻繁には通信しない可能性のある、例えば、低電力、（例えば、ワイヤレスフォンに関連して）低データレートタイプのデバイスなどの、ＩｏＴ（Internet of Things）および／またはマシン・ツー・マシン（Ｍ２Ｍ）タイプのデバイスであり得る。ＵＥ１１０は、マクロｇＮＢ、スモールセルｇＮＢ、マクロｇＮＢ、スモールセルｇＮＢ、リレー基地局などを含む様々なタイプの基地局１０５およびネットワーク機器と通信することが可能であり得る。
【００４１】
[0056]  ＵＥ１１０は、１つまたは複数の基地局１０５との１つまたは複数のワイヤレス通信リンク１３５を確立するように構成され得る。ワイヤレス通信ネットワーク１００中に示されるワイヤレス通信リンク１３５は、ＵＥ１１０から基地局１０５にアップリンク（ＵＬ）送信を、または基地局１０５からＵＥ１１０にダウンリンク（ＤＬ）送信を搬送し得る。ダウンリンク送信は順方向リンク送信とも呼ばれ得、一方アップリンク送信は逆方向リンク送信とも呼ばれ得る。各ワイヤレス通信リンク１３５は、１つまたは複数のキャリアを含み得、ここで、各キャリアは、上述した様々な無線技術に従って変調された複数のサブキャリア（例えば、異なる周波数の波形信号）から構成される信号であり得る。各変調信号は、異なるサブキャリア上で送られ、制御情報（例えば、基準信号、制御チャネルなど）、オーバ−ヘッド情報、ユーザデータなどを搬送し得る。一態様では、ワイヤレス通信リンク１３５は、（例えば、ペアにされたスペクトルリソースを使用する）周波数分割複信（ＦＤＤ）、または（例えば、ペアにされていないスペクトルリソースを使用する）時分割複信（ＴＤＤ）動作を使用して、双方向通信を送信し得る。ＦＤＤ（例えば、フレーム構造タイプ１）およびＴＤＤ（例えば、フレーム構造タイプ２）について、フレーム構造が定義され得る。さらに、いくつかの態様では、ワイヤレス通信リンク１３５は、１つまたは複数のブロードキャストチャネルを表し得る。
【００４２】
[0057]  ワイヤレス通信ネットワーク１００のいくつかの態様では、基地局１０５またはＵＥ１１０は、基地局１０５とＵＥ１１０との間の通信品質および信頼性を改善するためにアンテナダイバーシティスキームを用いるための複数のアンテナを含み得る。追加的にまたは代替的に、基地局１０５またはＵＥ１１０は、同じまたは異なるコード化されたデータを搬送する複数の空間レイヤを送信するためにマルチパス環境を活用し得る、多入力多出力（ＭＩＭＯ）技法を用い得る。
【００４３】
[0058]  ワイヤレス通信ネットワーク１００は、複数のセルまたはキャリア上での動作をサポートし得、その特徴は、キャリアアグリゲーション（ＣＡ）またはマルチキャリア動作と呼ばれ得る。キャリアはまた、コンポーネントキャリア（ＣＣ）、レイヤ、チャネルなどとも呼ばれ得る。「キャリア」、「コンポーネントキャリア」、「セル」、および「チャネル」という用語は、本明細書で互換的に使用され得る。ＵＥ１１０は、キャリアアグリゲーションのために、複数のダウンリンクＣＣおよび１つまたは複数のアップリンクＣＣで構成され得る。キャリアアグリゲーションは、ＦＤＤコンポーネントキャリアおよびＴＤＤコンポーネントキャリアの両方で使用され得る。基地局１０５およびＵＥ１１０は、各方向での送信のために使用される最大で合計Ｙｘ ＭＨｚ（ｘ＝コンポーネントキャリアの数）のキャリアアグリゲーションにおいて割り振られるキャリアあたり最大Ｙ ＭＨｚ（例えば、５、１０、１５、または２０ＭＨｚ）帯域幅のスペクトルを使用し得る。キャリアは、互いに隣接し得るか、または隣接していない可能性がある。キャリアの割り振りは、ＤＬおよびＵＬに対して非対称であり得る（例えば、ＵＬに対してよりも多くのまたは少ないキャリアがＤＬに対して割り振られ得る）。コンポーネントキャリアは、１つの一次コンポーネントキャリアと１つまたは複数の二次コンポーネントキャリアとを含み得る。一次コンポーネントキャリアは、一次セル（ＰＣｅｌｌ）と呼ばれ、二次コンポーネントキャリアは、二次セル（ＳＣｅｌｌ）と呼ばれ得る。
【００４４】
[0059]  ワイヤレス通信ネットワーク１００はさらに、アンライセンス周波数スペクトル（例えば、５ＧＨｚ）中の通信リンクを介して、例えばＷｉ−Ｆｉ局（ＳＴＡ）などのＷｉ−Ｆｉ技術に従って動作するＵＥ１１０と通信状態にある、例えばＷｉ−ＦｉアクセスポイントなどのＷｉ−Ｆｉ技術に従って動作する基地局１０５を含み得る。アンライセンス周波数スペクトル中で通信しているとき、ＳＴＡおよびＡＰは、チャネルが利用可能であるかどうかを決定するために、通信の前にクリアチャネルアセスメント（ＣＣＡ）またはリッスンビフォアトーク（ＬＢＴ）プロシージャを行い得る。
【００４５】
[0060]  加えて、基地局１０５および／またはＵＥ１１０の１つまたは複数は、ミリメートル波（ｍｍＷまたはｍｍｗａｖｅ）技術と呼ばれるＮＲまたは５Ｇ技術に従って動作し得る。例えば、ｍｍＷ技術は、ｍｍＷ周波数および／または準ｍｍＷ周波数（near mmW frequencies）での送信を含む。極高周波（ＥＨＦ：extremely high frequency）は、電磁スペクトル中の無線周波数（ＲＦ）の一部である。ＥＨＦは、３０ＧＨｚから３００ＧＨｚまでのレンジ、および１ミリメートルと１０ミリメートルとの間の波長を有する。この帯域中の電波は、ミリメートル波と呼ばれ得る。準ｍｍＷは、１００ミリメートルの波長を有する得３ＧＨｚの周波数にまで広がり得る。例えば、超高周波数（ＳＨＦ：super high frequency）帯域は、３ＧＨｚと３０ＧＨｚとの間で拡張し、センチメートル波とも呼ばれ得る。ｍｍＷおよび／または準ｍｍＷ無線周波数帯域を使用する通信は、極めて高いパスロスおよび短いレンジを有する。このように、ｍｍＷ技術に従って動作する基地局１０５および／またはＵＥ１１０は、極めて高いパスロスと短いレンジとを補償するために、それらの送信においてビームフォーミングを利用し得る。
【００４６】
[0061]  図２を参照すると、例となるスロット（またはフレーム）構造２００は、ダウンリンクセントリックスロット２２０および／またはアップリンクセントリックスロット２３０を含む。図２に図示されるように、ダウンリンクセントリックスロット２２０は、物理ダウンリンク制御チャネル（ＰＤＣＣＨ）２２２、物理ダウンリンク共有チャネル（ＰＤＳＣＨ）２２４、および／または共通アップリンクバースト２２６を含み得る。アップリンクセントリックスロット２３０は、ＰＤＣＣＨ２３２、通常のアップリンクバースト２３４、および／または共通アップリンクバースト２３６を含み得る。共通アップリンクバースト２２６および２３６は、アップリンク制御情報（ＵＣＩ）（例えば、ＡＣＫビット）を送信し得、それらは通常、固定の長さ（例えば、長さが１または２のＯＦＤＭシンボル）である。例えば、１または２ビットの共通アップリンクバースト２２６および／または２３６は、例えば仮説ごとに１つのシーケンスといった、シーケンスベースのＡＣＫ設計を使用し得る。シーケンスベースのＡＣＫ設計は、送信信号の、低いピーク対平均電力比（ＰＡＰＲ）を達成するために使用され得る。各仮説は、異なるシーケンスを使用する。例えば、１ビットの送信は、２シーケンスを使用し得、一方２ビットの送信は、４シーケンスを使用し得る。さらに、これは、サウンディング基準信号（ＳＲＳ）および／またはＳＲと多重化するために拡張され得る。例えば、この設計の例は、限定はされないが、以下を含み得る：ＳＲＳ＋ＤＴＸ、ＳＲＳ＋ＡＣＫまたは＋ＮＡＣＫなどの３つの仮説を有する、ＳＲＳ＋１ビットＡＣＫ；５つの仮説を有する、ＳＲＳ＋２ビットＡＣＫ；あるいは、ＡＣＫ、ＮＡＣＫ、ＳＲ＋ＡＣＫ、ＳＲ＋ＮＡＣＫなどに関する、４つの仮説を有するＳＲ＋１ビットＡＣＫ。
【００４７】
[0062]  いくつかの実装では、干渉を最小化するかまたは避けるために、ガードインターバル２２８がＰＤＳＣＨ２２４と共通アップリンクバースト２２６とを分離し得、および／または、ガードインターバル２３８がＰＤＣＣＨ２３２と通常のアップリンクバースト２３４とを分離し得る。
【００４８】
[0063]  図３Ａ〜図３Ｃは、ＮＲに関するシーケンスベースのＡＣＫ／ＮＡＣＫ設計のための、例となる符号分割多重化（ＣＤＭ）技法を図示する。
【００４９】
[0064]  図３Ａは、本開示の態様に従った、仮説距離を最大化する、例となる多重化技法３１０を図示する。例えば、１つのＵＥのＡＣＫとＮＡＣＫとの間の距離のような、ＵＥの異なる仮説の間の距離は、仮説距離と呼ばれ得る。１つの態様では、多重化は、ＵＥごとに関連付けられた仮説距離を最大化することに基づき得る。
【００５０】
[0065]  図３Ａを参照すると、ＵＥ０およびＵＥ１（図１のＵＥ１１０および１１２と同じまたはこれらに類似する）は、基地局１０５にＡＣＫまたはＮＡＣＫを送信している可能性がある。例えば、一態様では、ＵＥ０は、例えばＵＥ０ ＡＣＫ（３１２）またはＵＥ０ ＮＡＣＫ（３１４）などのＡＣＫまたはＮＡＣＫのような、２つの仮説をサポートし得、ＵＥ１は、例えばＵＥ１ ＡＣＫ（３２２）またはＵＥ１ ＮＡＣＫ（３２４）などのＡＣＫまたはＮＡＣＫのような、２つの仮説をサポートし得る。
【００５１】
[0066]  一態様では、基地局１０５における多重化コンポーネント１５０は、ＵＥ０およびＵＥ１に関連付けられた最大仮説距離を決定し得る。仮説距離は、以下に示すように、シーケンス長（「Ｌ」）と仮説の数（「Ｂ」）との比として定義され得る：
仮説距離＝シーケンス長（Ｌ）／仮説の数（Ｂ）
[0067]  シーケンス長Ｌは、例えば、１２の倍数（リソース要素中のサブキャリアの数）などの任意の大きさであり得、仮説の数は、２ｂｉｔｓが送信されるものとして定義され得る。例えば、一態様では、ビット数は１であり得、ビット数が１であることに基づいて、Ｌが１２である際の仮説距離は６である（例えば、１２／２＝６）。別の例では、ビット数は２であり得、ビット数が２であることに基づいて、Ｌが１２である際の仮説距離は３である（例えば、１２／４＝３）。
【００５２】
[0068]  基地局１０５における多重化コンポーネント１５０は、仮説距離と、複数のユーザ（この例では２つのＵＥ）を指すＵＥの数（「Ｂ」）とに基づいて、ＵＥ０に関連付けられた複数のサイクリックシフトを決定し得る。例えば、ユーザ「ｉ」に関して、時間領域中のサイクリックシフトは、以下に基づいて決定され得る：
ｉ＊（Ｌ／Ｂ／Ｍ），Ｌ／Ｂ＋ｉ＊（Ｌ／Ｂ／Ｍ），２＊（Ｌ／Ｂ）＋ｉ＊（Ｌ／Ｂ／Ｍ），・・・・・・
[0069]  すなわち、ｉ＝０であるＵＥ０に関して、時間領域中のサイクリックシフトは以下のように示される：
０＊（１２／２／２），１２／２＋０＊（１２／２／２）
０，６
[0070]  すなわち、ＵＥ０のためのサイクリックシフトは、０および６であると決定され得る。
【００５３】
[0071]  同様に、ＵＥ１に関して、時間領域中のサイクリックシフトは、以下に基づいて決定され得る：
１＊（１２／２／２），１２／２＋１＊（１２／２／２）
３，９
[0072]  すなわち、ＵＥ１のためのサイクリックシフトは、３および９であると決定され得る。
【００５４】
[0073]  例となる態様では、シーケンス長が１２であると、基地局１０５における多重化コンポーネント１５０は、３１０のＵＥ０に関しては０および６をサイクリックシフトとして、ＵＥ１に関しては３および９をサイクリックシフトとして決定し得る。ＵＥ０およびＵＥ１のためのサイクリックシフトを決定する際に、基地局１０５における多重化コンポーネント１５０は、ＵＥに関連付けられた対応するサイクリックシフトに基づいて、ＵＥにシーケンスを割り当てる。例えば、サイクリックシフト０および６に関連付けられたシーケンスがＵＥ０に割り当てられ得、サイクリックシフト３および９に関連付けられたシーケンスがＵＥ１に割り当てられ得る。これらシーケンスは、例えばＵＥ０の仮説（例えば、ＡＣＫおよびＮＡＣＫ）の間の距離のような仮説距離が最大値であるように割り当てられる。基地局１０５における多重化コンポーネント１５０は、図４でより詳細に説明されるように、ベースシーケンスに関連してサイクリックシフトに基づいてシーケンスを決定する。２つのサイクリックシフトがＡＣＫまたはＮＡＣＫであり得る１ビットを送信するために使用され得ることにも留意されたい。
【００５５】
[0074]  ＵＥ０およびＵＥ１からのＡＣＫまたはＮＡＣＫは、符号分割多重化（ＣＤＭ）方式で多重化され、アップリンクショートバースト中で基地局１０５に送信される。多重化信号の受信の際、基地局１０５は、順々に、仮説シーケンスと受信信号を相関させる。基地局１０５は次いで、２つの相関（correlations）のエネルギーを比較し、正確な仮説を決定するためにどの相関がより高いエネルギーを有するかを決定する。例えば、ＵＥ０のＡＣＫと比較して、ＵＥ０のＮＡＣＫに関連する相関がより高いエネルギーを有している場合、基地局１０５は、ＵＥ０がＮＡＣＫを送信したと決定する。仮説距離を最大化することに基づく、例えばＣＤＭのような多重化メカニズムは、送信された複数のＵＥからのＡＣＫまたはＮＡＣＫが周波数領域中のＤＭＲＳパターンを有することを可能にする。例えば、長さが１２であり、かつＡＣＫおよびＮＡＣＫに関してそれぞれシフト０および６である、２つのシーケンスを有する１ビットの場合、どのシーケンスが実際に送信されるかに関係なく、他の全ての送信されるトーンは同じになるだろう。これらのトーンは、チャネルまたはノイズ推定のためにＤＭＲＳトーンとして受信機側（例えば、基地局１０５）で使用され得る。異なるユーザが異なるシフトを用いて同じシンボル中に多重化されるとき、受信機は、既知のＤＭＲＳトーンを有するチャネルまたはノイズ分散（noise variance）を推定する前に、最初に所望のユーザ信号を抽出するだろう。
【００５６】
[0075]  図３Ｂは、本開示の態様に従った、ユーザ距離を最大化する、例となる多重化技法３４０を例示する。例えばＵＥ０とＵＥ１のような異なる複数のＵＥ間の距離は、ユーザ距離と呼ばれ得る。１つの態様では、多重化は、ユーザ距離を最大化することに基づき得る。
【００５７】
[0076]  図３Ｂを参照すると、ＵＥ０およびＵＥ１（図１のＵＥ１１０および１２０と同じまたはこれらに類似する）などの複数のＵＥは、基地局１０５にＡＣＫまたはＮＡＣＫを送信し得る。例えば、一態様では、ＵＥ０は、例えばＵＥ０ ＡＣＫ（３４２）／ＵＥ０ ＮＡＣＫ（３４４）などのＡＣＫまたはＮＡＣＫのような、２つの仮説をサポートし得、ＵＥ１は同様に、例えばＵＥ１ ＡＣＫ（３５２）またはＵＥ１ ＮＡＣＫ（３５４）などのＡＣＫまたはＮＡＣＫのような、２つの仮説をサポートし得る。
【００５８】
[0077]  一例では、多重化コンポーネント１５０は、ＵＥ０とＵＥ１との間のユーザ距離、例えば最大ユーザ距離を決定し得る。ユーザ距離は、以下に示すような、シーケンス長（「Ｌ」）とユーザの数（「Ｍ」）との比として定義され得る：
ユーザ距離＝シーケンス長（Ｌ）／ユーザの数（Ｍ）
[0078]  シーケンス長（Ｌ）は、例えば１２の倍数などの任意の長さであり得、ユーザの数は、２と定義され得る。従って、１つの態様では、ユーザ距離は、６であり得る（例えば、１２／２＝６）。
【００５９】
[0079]  基地局１０５における多重化コンポーネント１５０は、ユーザ距離および仮説の数（「Ｂ」）に基づいて、ＵＥ０またはＵＥ１に関連付けられた複数のサイクリックシフトを決定し得る。例えば、ユーザ「ｉ」に関して、ユーザ距離に基づく時間領域中のサイクリックシフトは、以下に基づいて決定され得る：
ｉ＊（Ｌ／Ｍ），ｉ＊（Ｌ／Ｍ）＋（Ｌ／Ｂ／Ｍ），ｉ＊（Ｌ／Ｍ）＋２＊（Ｌ／Ｂ／Ｍ）
[0080]  すなわち、ｉ＝０である３１０のＵＥ０に関して、時間領域中のサイクリックシフトは以下のように示される：
０＊（１２／２），０＊（１２／２）＋（１２／２／２）
０，３、・・・
[0081]  すなわち、ＵＥ０のためのサイクリックシフトは、０、３などであると決定され得る。
【００６０】
[0082]  同様に、ＵＥ１に関して、時間領域中のサイクリックシフトは、以下に基づいて決定され得る：
１＊（１２／２），１＊（１２／２）＋（１２／２／２）
６，９、・・・
[0083]  すなわち、ＵＥ１のためのサイクリックシフトは、６、９などであると決定され得る。
【００６１】
[0084]  例となる態様では、シーケンス長が１２であると、基地局１０５における多重化コンポーネント１５０は、ＵＥ０に関しては０および３をサイクリックシフトとして、ＵＥ１に関しては６および９をサイクリックシフトとして決定し得る。ＵＥ０およびＵＥ１のためのサイクリックシフトを決定する際に、基地局１０５における多重化コンポーネント１５０は、ＵＥに関連付けられた対応するサイクリックシフトに基づいて、ＵＥにシーケンスを割り当てる。例えば、サイクリックシフト０および３に関連付けられたシーケンスがＵＥ０に割り当てられ得、サイクリックシフト６および９に関連付けられたシーケンスがＵＥ１に割り当てられ得る。最大シフト距離は、異なるＵＥからのＡＣＫまたはＮＡＣＫ仮説に関して可能にされる。シーケンスは、ユーザ距離、例えば複数のユーザ（例えば、ＵＥ０とＵＥ１）の間の距離が最大となるように割り当てられる。基地局１０５における多重化コンポーネント１５０は、ベースシーケンスに関連してサイクリックシフトに基づいて、シーケンスを決定する。ＡＣＫ／ＮＡＣＫ／ＳＲの１つのシーケンスマッピングが１２インデックスのシーケンスを要求しない可能性があるため、シーケンスの残りのインデックスは、１つまたは複数の追加のＵＥに割り当てられ得る。よって、各ＲＢは、複数のＵＥのシーケンス部分を含み得る。他の態様では、単一のＵＥのＡＣＫ／ＮＡＣＫ／ＳＲは、１つのＲＢが単一のＡＣＫ／ＮＡＣＫ／ＳＲのみを含むように、全ての１２シーケンスインデックスを要求し得る。
【００６２】
[0085]  図３Ｃは、本開示の態様に従った、サイクリックシフトのランダムな割り振り（またはシーケンスの割り当て）に基づいた、例となる多重化技法３７０を図示する。
【００６３】
[0086]  一態様では、例えば、図３Ａおよび図３Ｂを参照して上述されたようなサイクリックシフトは、ＵＥに関連付けられた仮説にランダムに割り当てられ得る。例えば、０および６のサイクリックシフトはそれぞれ、ＵＥ０ ＡＣＫ（３７２）とＵＥ０ ＮＡＣＫ（３７６）とに割り当てられ、サイクリックシフト３および９はそれぞれ、ＵＥ１ ＮＡＣＫ（３７４）とＵＥ１ ＡＣＫ（３７８）とに割り当てられ得る。追加的なまたはオプションの態様では、０および９のサイクリックシフトはそれぞれ、ＵＥ０ ＡＣＫ／ＮＡＣＬに割り当てられ、サイクリックシフト３および６はそれぞれ、ＵＥ１ ＮＡＣＫ／ＡＣＬに割り当てられ得る。サイクリックシフトのランダムな割り振りは、柔軟性を提供する。
【００６４】
[0087]  図４は、本開示の態様におけるシフトされたシーケンス４００の例を図示する。
【００６５】
[0088]  例えば、一態様では、長さＬを有するシーケンスに関して、時間領域においてＬ／２（例えば、半分の長さ）のサイクリックシフトは、以下に示されるように、周波数領域中の代替的なフリッピングを示すよう導く：
Ｓ[（ｎ＋Ｌ／２）％Ｌ］→Ｓ[ｋ］（−１）ｋ
[0089]  時間領域中の仮説距離を最大化することに基づく多重化は、ＵＥ０のＡＣＫおよびＮＡＣＫに関連する４１０および４３０中で示されるような、周波数領域中の特殊な性質をもたらし得る。例えば、代替のトーンの一方のセット（set of alternate tones）は同一であり（例えば、太字で示される４１２／４３２、４１６／４３６、４２０／４４０、４２４／４４４）、代替のトーンの別のセットは互いに逆である（例えば、４１４／４３４、４１８／４３８、４２２／４４２、４２６／４４６）。これは、ＵＥに関連付けられた仮説を識別するために復調基準信号（ＤＭＲＳ）として使用されることができるパターンとなる。別の例では、代替のトーンの一方のセットは同一であり（例えば、太字で示される４５２／４７２、４５６／４７６、４６０／４８０、４６４／４８４）、代替のトーンの別のセットは互いに逆である（例えば、４５４／４７４、４５８／４７８、４６２／４８２、４６６／４８６）。
【００６６】
[0090]  図５Ａ〜図５Ｂは、ＮＲに関するシーケンスベースのＡＣＫ／ＮＡＣＫ設計のための、例となる周波数分割多重化（ＦＤＭ）技法を図示する。
【００６７】
[0091]  図５Ａは、例えばＵＥ０およびＵＥ１などの複数のＵＥが、異なる帯域を有する周波数領域中で分離され得る、例となる周波数分割多重化（ＦＤＭ）技法５２０を図示する。例えば、ＵＥ０は、帯域の上部（５３０）を占有し、ＵＥ１は、帯域の下部（５４０）を占有する。
【００６８】
[0092]  図５Ｂは、ＵＥ０およびＵＥ１によって占有された周波数が、５７０および５８０で示されるようにインターレースされた（interlaced）、例となる周波数分割多重化（ＦＤＭ）技法５６０を図示する。例えば、ＵＥ０およびＵＥ１は、異なるくし状部で、周波数領域中で分離され得る。１つの態様では、ＵＥ０は偶数のトーンを占有し、ＵＥ１は奇数のトーンを占有する。
【００６９】
[0093]  各帯域またはくし状部は、異なるシフトまたは仮説をサポートし得、（Ｌ／Ｂに基づいて）トーンは、周波数領域中で復調基準信号（ＤＭＲＳ）トーンを生成するために使用され得る。さらに、ＦＤＭベースの多重化は、ＬがＢの倍数でないフラクショナルシフトをサポートするために使用され得る。
【００７０】
[0094]  図６は、間欠送信（ＤＴＸ）をサポートするための位相ランピング６００を用いたフラクショナルシフトの例を図示する。
【００７１】
[0095]  図６に図示されるように、位相シフト６１０、６２０、および６３０は、０、Ｌ／３、および２Ｌ／３シフトを有する同じベースシーケンスに基づいた、スケジューリング要求（ＳＲ）、ＳＲ＋ＡＣＫ、およびＳＲ＋ＮＡＣＫのためのシーケンスに関連付けられる。毎３トーンがこれら３つのシーケンスと等しくなる。そのため、どのシーケンスが実際に送信されるかに関係なくこれらのトーンは受信側で知られており、従って、チャネルまたはノイズ推定のために使用されることができる。Ｌが３の倍数ではないとき、例えばＬ＝１６であるときに、フラクショナルシフトを使用することができる。
【００７２】
[0096]  図７Ａを参照すると、例えば、上述された態様に従ったワイヤレス通信のための方法７００が開示される。
【００７３】
[0097]  例えば、ブロック７１０において、方法７００は、ｇＮＢにおいて、複数のユーザ機器（ＵＥ）のうちの第１のＵＥと第２のＵＥとの間の距離を決定することを含み、ここにおいて、距離は、シーケンス長、仮説の数、または直交周波数分割多重化（ＯＦＤＭ）シンボルを共有するＵＥの数、のうちの１つまたは複数に基づいて決定される。例えば、一態様では、ｇＮＢ１０４および／またはモデム１４０は、複数のユーザ機器（ＵＥ）のうちの第１のＵＥと第２のＵＥとの間の距離を決定するために、通信コンポーネント１５０および／または決定コンポーネント１５２を実行し得、ここにおいて、距離は、シーケンス長、仮説の数、または直交周波数分割多重化（ＯＦＤＭ）シンボルを共有するＵＥの数、のうちの１つまたは複数に基づいて決定される。
【００７４】
[0098]  さらに、ブロック７２０において、方法７００は、ｇＮＢにおいて、第１のＵＥと第２のＵＥの各々に関する複数のサイクリックシフトを決定することを含み、ここにおいて、複数のサイクリックシフトは、ベースシーケンスに関連して、および距離とＯＦＤＭシンボルを共有するＵＥの数とに基づいて決定される。例えば、一態様では、ＵＥ１１０および／またはモデム１４０は、第１のＵＥと第２のＵＥの各々に関する複数のサイクリックシフトを決定するために、通信コンポーネント１５０および／またはサイクリックシフト決定コンポーネント１５４を実行し得、ここにおいて、複数のサイクリックシフトは、ベースシーケンスに関連して、および距離とＯＦＤＭシンボルを共有するＵＥの数とに基づいて決定される。
【００７５】
[0099]  さらに、ブロック７３０において、方法７００は、第１のＵＥおよび第２のＵＥの各々に１つまたは複数のシーケンスを割り当てることを含み得、ここにおいて、第１のＵＥおよび第２のＵＥに割り当てられた１つまたは複数のシーケンスは、第１のＵＥおよび第２のＵＥに関連付けられた対応する複数のサイクリックシフトに基づく。例えば、一態様では、ＵＥ１１０および／またはモデム１４０は、第１のＵＥおよび第２のＵＥの各々に１つまたは複数のシーケンスを割り当てるために、通信コンポーネント１５０および／または割り当てコンポーネント１５６を実行し得、ここにおいて、第１のＵＥおよび第２のＵＥに割り当てられた１つまたは複数のシーケンスは、第１のＵＥおよび第２のＵＥに関連付けられた対応する複数のサイクリックシフトに基づく。
【００７６】
[00100]  さらに、ブロック７４０において、方法７００は、ｇＮＢにおいて、多重化信号を受信することを含み得、ここにおいて、多重化信号は、ＯＦＤＭシンボルを介して送信されるアップリンクショートバースト上に多重化された、第１のＵＥおよび第２のＵＥからの少なくとも１つのＵＣＩビットを含む。例えば、一態様では、ＵＥ１１０および／またはモデム１４０は、多重化信号を受信するために、通信コンポーネント１５０および／または受信コンポーネント１５８を実行し得、ここにおいて、多重化信号は、ＳＲなどの他の制御情報ビットと多重化されたＡＣＫまたはＮＡＣＫビットなどの単一のＵＣＩビット、あるいは、ＯＦＤＭシンボルを介して送信されるアップリンクショートバースト上に多重化された、第１のＵＥおよび第２のＵＥからの複数のＡＣＫ／ＮＡＣＫおよび／またはＳＲビットを含み得る。例えば、多重化信号の複数のＵＣＩビットは、ＳＲビットおよびＡＣＫビットを含み得る。
【００７７】
[00101]  図７Ｂを参照すると、例えば、上述された態様に従ったワイヤレス通信のための方法７５０が開示される。
【００７８】
[00102]  例えば、ブロック７６０において、方法７００は、ｇＮＢにおいて、複数のＵＥのうちの第１のＵＥおよび第２のＵＥのための１つまたは複数の周波数リソースを決定することを含む。例えば、一態様では、ｇＮＢ１０５および／またはモデム１４０は、複数のＵＥのうちの第１のＵＥおよび第２のＵＥのための１つまたは複数の周波数リソースを決定するために、通信コンポーネント１５０および／または決定コンポーネント１５２を実行し得る。
【００７９】
[00103]  例えば、ブロック７７０において、方法７５０は、ｇＮＢにおいて、第１のＵＥおよび第２のＵＥの各々に、決定された１つまたは複数の周波数リソースを割り当てることを含む。例えば、一態様では、ＵＥ１１０および／またはモデム１４０は、第１のＵＥおよび第２のＵＥの各々に、決定された１つまたは複数の周波数リソースを割り当てるために、通信コンポーネント１５０および／または割り当てコンポーネント１５６を実行し得る。
【００８０】
[00104]  さらに、ブロック７８０において、方法７００は、ｇＮＢにおいて、第１のＵＥおよび第２のＵＥの各々に１つまたは複数のシフトを割り当てることを含む。例えば、一態様では、ｇＮＢ１０４および／またはモデム１４０は、第１のＵＥおよび第２のＵＥの各々に、決定された１つまたは複数のシフトを割り当てるために、通信コンポーネント１５０および／またはサイクリックシフト決定コンポーネント１５６を実行し得る。
【００８１】
[00105]  さらに、ブロック７９０において、方法７００は、ｇＮＢにおいて、多重化信号を受信することを含み得、ここにおいて、多重化信号は、直交周波数分割多重化（ＯＦＤＭ）シンボルを介して送信されたアップリンクショートバースト上の周波数分割多重化（ＦＤＭ）に基づいた、第１のＵＥおよび第２のＵＥからのアップリンク制御情報（ＵＣＩ）の少なくとも１つのビットを含み、ＵＣＩは、確認応答（ＡＣＫ）、否定ＡＣＫ（ＮＡＣＫ）、またはスケジューリング要求（ＳＲ）のうちの１つまたは複数を含む。例えば、一態様では、ＵＥ１１０および／またはモデム１４０は、多重化信号を受信するために、通信コンポーネント１５０および／または受信コンポーネント１５８を実行し得、ここにおいて、多重化信号は、ＯＦＤＭシンボルを介して送信されるアップリンクショートバースト上のＦＤＭまたはＣＤＭに基づいた、第１のＵＥおよび第２のＵＥからのＡＣＫ、ＮＡＣＫ、および／またはＳＲを含む。ＵＣＩは、ＡＣＫ／ＮＡＣＫ／ＳＲビットの１つまたは複数、あるいは、それらの組み合わせ、例えばＨＡＲＱ−ＡＣＫおよびＳＲの組み合わせを含み得る。
【００８２】
[00106]  図８Ａを参照すると、例えば、上述された態様に従ったワイヤレス通信のための方法８００が開示される。
【００８３】
[00107]  例えば、ブロック８１０において、方法８００は、ＵＥ１１０において、ｇＮＢ（例えば、基地局１０５）によってＵＥ１１０に割り当てられた１つまたは複数シーケンスを受信することを含み、ここにおいて、１つまたは複数のシーケンスは、ＵＥ１１０に関連付けられた複数のサイクリックシフトに基づいてｇＮＢによって割り当てられ、ベースシーケンスに関連して、およびＵＥと第２のＵＥとの間の距離と、ＯＦＤＭシンボルを共有するＵＥの数とに基づいて、ｇＮＢによって決定される。例えば、一態様では、ＵＥ１１０および／またはモデム１８０は、ｇＮＢからのシーケンスを受信するために、通信コンポーネント１９０および／または割り当て受信コンポーネント１９２を実行し得る。シーケンスは、ＵＥに関連付けられた複数のサイクリックシフトに基づいてＵＥに割り当てられ得る。これらのサイクリックシフトは、ベースシーケンスに関連して、およびＵＥと第２のＵＥとの間の距離と、ＯＦＤＭシンボルを共有するＵＥの数とに基づいて、ｇＮＢによって基づいて決定される。様々な態様では、距離は、シーケンス長、仮説の数、またはＯＦＤＭシンボルを共有するＵＥの数、のうちの１つまたは複数に基づいて、ｇＮＢによって決定され得る。
【００８４】
[00108]  例えば、ブロック８２０において、方法８００は、ＵＥによって、多重化信号の一部としてＵＣＩを送信することを含み、ここにおいて、多重化信号は、ＯＦＤＭシンボルを介して送信されるアップリンクショートバースト上に多重化された、ＵＥおよび第２のＵＥからのＵＣＩの少なくとも１つのビットを含む。例えば、一態様では、ＵＥ１１０および／またはモデム１８０は、受信された１つまたは複数のシーケンスに関連付けられたマッピングに基づいて、ＯＦＤＭシンボルを介してＵＣＩ情報の少なくとも１つのビットを送信するために、通信コンポーネント１９０および／またはＵＣＩ送信コンポーネント１９４を実行し得る。
【００８５】
[00109]  図８Ｂを参照すると、例えば、上述された態様に従ったワイヤレス通信のための方法８５０が開示される。
【００８６】
[00110]  例えば、ブロック８６０において、方法８５０は、ＵＥ１１０において、ｇＮＢ（例えば、基地局１０５）によって決定された、１つまたは複数の周波数リソースおよび１つまたは複数のサイクリックシフトを受信することを含む。例えば、一態様では、ＵＥ１１０および／またはモデム１８０は、ｇＮＢからの１つまたは複数の周波数リソースおよび１つまたは複数のシフトを受信するために、通信コンポーネント１９０および／または割り当て受信コンポーネント１９２を実行し得る。例えば、ブロック８７０において、方法８５０は、ＵＥによって、多重化信号の一部としてＵＣＩを送信することを含み、ここにおいて、多重化信号は、ＯＦＤＭシンボルを介して送信されるアップリンクショートバースト上のＦＤＭまたはＣＤＭに基づいた、第１のＵＥおよび第２のＵＥからのＵＣＩの少なくとも１つのビットを含む。
【００８７】
[00111]  例えば、一態様では、ＵＥ１１０および／またはモデム１８０は、ｇＮＢからの１つまたは複数の周波数リソースおよび１つまたは複数のシフトを受信するために、通信コンポーネント１９０および／または割り当て受信コンポーネント１９２を実行し得る。例えば、一態様では、ＵＥ１１０および／またはモデム１８０は、受信された１つまたは複数の周波数リソースおよびシフトに関連付けられたマッピングに基づいて、ＯＦＤＭシンボルを介してＵＣＩ情報の少なくとも１つのビットを送信するために、通信コンポーネント１９０および／またはＵＣＩ送信コンポーネント１９４を実行し得る。
【００８８】
[00112]  図９を参照すると、基地局１０５の実装の一例は、そのいくつかが既に上述された様々なコンポーネントを含み得、１つまたは複数のバス９４４を介して通信状態にある、１つまたは複数のプロセッサ９１２、メモリ９１６、およびトランシーバ９０２などのコンポーネントを含み、それらは、ワイヤレス通信のためにモデム１４０および通信コンポーネント１５０と連携して動作し得る。さらに、１つまたは複数のプロセッサ９１２、モデム１４０、メモリ９１６、トランシーバ９０２、ＲＦフロントエンド９９９、および１つまたは複数のアンテナ９６５は、１つまたは複数の無線アクセス技術で音声および／またはデータコールを（同時にまたは非同時に）サポートするように構成され得る。
【００８９】
[00113]  一態様では、１つまたは複数のプロセッサ９１２は、１つまたは複数のモデムプロセッサを使用するモデム１４０を含むことができる。通信コンポーネント１５０に関する様々な機能は、モデム１４０および／またはプロセッサ９１２に含まれ得、一態様では、単一のプロセッサによって実行されることができ、一方他の態様では、それら機能のうちの異なる複数のものが、２つ以上の異なるプロセッサの組み合わせによって実行され得る。例えば、一態様では、１つまたは複数のプロセッサ９１２は、モデムプロセッサ、またはベースバンドプロセッサ、またはデジタルシグナルプロセッサ、または送信プロセッサ、または受信機プロセッサ、またはトランシーバ９０２に関連するトランシーバプロセッサのうちの任意の１つ、またはそれらの任意の組み合せを含み得る。他の態様では、通信コンポーネント１５０に関連する１つまたは複数のプロセッサ９１２および／またはモデム１４０の特徴のうちのいくつかは、トランシーバ９０２によって行われ得る。
【００９０】
[00114]  また、メモリ９１６は、本明細書で使用されるデータおよび／またはアプリケーション９７５のローカルバージョン、あるいは少なくとも１つのプロセッサ９１２によって実行される通信コンポーネント１５０および／またはそれのサブコンポーネントのうちの１つまたは複数を記憶するように構成され得る。メモリ９１６は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合わせなどの、コンピュータまたは少なくとも１つのプロセッサ９１２によって使用可能な任意のタイプのコンピュータ可読媒体を含み得る。一態様では、例えば、メモリ９１６は、基地局１０５が通信コンポーネント１５０および／またはそれのサブコンポーネントのうちの１つまたは複数（例えば、サブコンポーネント１５２〜１５８）を実行するように少なくとも１つのプロセッサ９１２を動作させているとき、通信コンポーネント１５０および／またはそれのサブコンポーネントのうちの１つまたは複数、および／またはそれらに関連したデータを定義する、１つまたは複数のコンピュータ実行可能なコードを記憶する非一時的コンピュータ可読記憶媒体であり得る。
【００９１】
[00115]  トランシーバ９０２は、少なくとも１つの受信機９０６および少なくとも１つの送信機９０９を含み得る。受信機９０６は、ハードウェア、ファームウェア、および／またはデータを受信するためにプロセッサによって実行可能なソフトウェアコードを含み得、コードは、命令を備えかつメモリ（例えば、コンピュータ可読媒体）に記憶される。受信機９０６は、例えば、無線周波数（ＲＦ）受信機であり得る。一態様では、受信機９０６は、少なくとも１つの基地局１０５によって送信された信号を受信し得る。さらに、受信機９０６は、そのような受信信号を処理し得、また、限定はされないが、例えば、Ｅｃ／Ｉｏ、ＳＮＲ、ＲＳＲＰ、ＲＳＳＩなどの信号の測定値を取得し得る。送信機９０８は、ハードウェア、ファームウェア、および／またはデータを送信するためにプロセッサによって実行可能なソフトウェアコードを含み得、コードは、命令を備えかつメモリ（例えば、コンピュータ可読媒体）に記憶される。送信機９０８の適切な例は、ＲＦ送信機を含み得るが、それに限定されるわけではない。
【００９２】
[00116]  さらに、一態様では、基地局１０５は、ＲＦフロントエンド９８８を含み得、それは、例えば少なくとも１つの基地局１０５によって送信されるワイヤレス通信または基地局１０５によって送信されるワイヤレス送信などの無線送信を、受信および送信するために、１つまたは複数のアンテナ９６５およびトランシーバ９０２と通信して動作し得る。ＲＦフロントエンド９８８は、１つまたは複数のアンテナ９６５に通信可能に接続され得、ＲＦ信号を送信および受信するための１つまたは複数の低雑音増幅器（ＬＮＡ）９９０、１つまたは複数のスイッチ９９２、１つまたは複数の電力増幅器（ＰＡ）９９８、および１つまたは複数のフィルタ９９６を含むことができる。
【００９３】
[00117]  一態様では、ＬＮＡ９９０は、所望の出力レベルで受信信号を増幅することができる。一態様では、各ＬＮＡ９９０は、指定された最小および最大利得値を有し得る。一態様では、ＲＦフロントエンド９８８は、特定のアプリケーションのための所望の利得値に基づいて特定のＬＮＡ９９０およびそれの指定された利得値を選択するために、１つまたは複数のスイッチ９９２を使用し得る。
【００９４】
[00118]  さらに、例えば、１つまたは複数のＰＡ９９８は、所望の出力電力レベルでのＲＦ出力のための信号を増幅するために、ＲＦフロントエンド９８８によって使用され得る。一態様では、各ＰＡ９９８は、指定された最小および最大利得値を有し得る。一態様では、ＲＦフロントエンド９８８は、特定のアプリケーションのための所望の利得値に基づいて、特定のＰＡ９９８およびそれの指定された利得値を選択するために、１つまたは複数のスイッチ９９２を使用し得る。
【００９５】
[00119]  また、例えば、１つまたは複数のフィルタ９９６は、入力ＲＦ信号を取得するために、受信された信号をフィルタするためのＲＦフロントエンド９８８によって使用され得る。同様に、一態様では、例えば、それぞれのフィルタ９９６は、送信のための出力信号を生成するために、それぞれのＰＡ９９８からの出力をフィルタするために使用され得る。一態様では、各フィルタ９９６は、特定のＬＮＡ９９０および／またはＰＡ９９８に接続され得る。一態様では、ＲＦフロントエンド９８８は、トランシーバ８０２および／またはプロセッサ９１２によって指定された構成に基づいて、指定されたフィルタ９９６、ＬＮＡ９９０、および／またはＰＡ９９８を使用して送信または受信経路を選択するために、１つまたは複数のスイッチ９９２を使用することができる。
【００９６】
[00120]  このように、トランシーバ９０２は、ＲＦフロントエンド９８８を介して１つまたは複数のアンテナ９６５を通してワイヤレス信号を送信および受信するように構成され得る。一態様では、トランシーバ９０２は、基地局１０５が、例えば１つまたは複数のＵＥ１１０と通信することができるように、特定の周波数で動作するように調整され得る。一態様では、例えば、モデム１４０は、基地局１０５の構成およびモデム１４０によって使用される通信プロトコルに基づいて、特定の周波数および電力レベルで動作するように、トランシーバ９０２を構成することができる。
【００９７】
[00121]  一態様では、モデム１４０は、マルチバンドマルチモードモデムであり、それは、デジタルデータを処理し、トランシーバ９０２を使用してデジタルデータが送られ受信されるように、トランシーバ９０２と通信することができる。一態様では、モデム１４０は、マルチバンドであり得、特定の通信プロトコルについて複数の周波数帯域をサポートするように構成されることができる。一態様では、モデム１４０は、マルチモードであり得、複数の動作ネットワークおよび通信プロトコルをサポートするように構成されることができる。一態様では、モデム１４０は、指定されたモデム構成に基づいて、ネットワークからの信号の送信および／または受信を可能にするために、基地局１０５の１つまたは複数のコンポーネント（例えば、ＲＦフロントエンド９９９、トランシーバ９０２）を制御することができる。一態様では、モデム構成は、使用する周波数帯域およびモデムのモードに基づくことができる。別の態様では、モデム構成は、セル選択および／またはセル再選択の間にネットワークによって提供されるような、基地局１０５に関連付けられた基地局情報に基づくことができる。
【００９８】
[00122]  図１０を参照すると、ＵＥ１１０を実装する１つの例は、１つまたは複数のバス１０４４を介して通信状態にある１つまたは複数のプロセッサ１０１２とメモリ１０１６とトランシーバ１００２などのコンポーネントを含む、そのいくつかが上述された複数のコンポーネントを含み得、それらは、ワイヤレス通信システム中でＵＥにおいてｇＮＢ（例えば、基地局１０５）からの通信および制御情報を受信することに関して本明細書で説明される１つまたは複数の機能を利用可能にするために、モデム１０１４および通信コンポーネント１９０を用いて動作し得る。さらに、１つまたは複数のプロセッサ１０１２、モデム１０１４、メモリ１０１６、トランシーバ１００２、無線周波数（ＲＦ）フロントエンド１０８８、および１つまたは複数のアンテナ１０６５は、１つまたは複数の無線アクセス技術で音声および／またはデータコールを（同時にまたは非同時に）サポートするように構成され得る。いくつかの態様では、モデム１０１４は、モデム１４０（図１）と同じまたは類似し得る。
【００９９】
[00123]  一態様では、１つまたは複数のプロセッサ１０１２は、１つまたは複数のモデムプロセッサを使用するモデム１４０を含み得る。通信コンポーネントに関する機能は、モデム１８０および／またはプロセッサ１０１２に含まれ得、一態様では、単一のプロセッサによって実行され得るが、一方他の態様では、それら複数の機能のうちの異なるものが、２つ以上の異なるプロセッサによって実行され得る。例えば、一態様では、１つまたは複数のプロセッサ１０１２は、モデムプロセッサ、またはベースバンドプロセッサ、またはデジタルシグナルプロセッサ、または送信プロセッサ、または受信機プロセッサ、またはトランシーバ１００２に関連するトランシーバプロセッサのうちの任意の１つまたはそれらの任意の組み合わせを含み得る。他の態様では、通信コンポーネント１９０に関連する１つまたは複数のプロセッサ１０１２および／またはモデム１４０のいくつかの特徴は、トランシーバ１００２によって実行され得る。
【０１００】
[00124]  また、メモリ１０１６は、使用されるデータおよび／またはアプリケーション１０７５のローカルバージョン、あるいは少なくとも１つのプロセッサ１０１２によって実行される通信コンポーネント１９０および／またはそれのサブコンポーネントのうちの１つまたは複数を記憶するように構成され得る。メモリ１０１６は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合わせなどの、コンピュータまたは少なくとも１つのプロセッサ１０１２によって使用可能な任意のコンピュータ可読媒体を含み得る。一態様では、例えば、メモリ１０１６は、ＵＥ１１０が通信コンポーネント１９０および／またはそれのサブコンポーネント（例えば、サブコンポーネント１９２〜１９４）のうちの１つまたは複数を実行するように少なくとも１つのプロセッサ１０１２を動作させているとき、通信コンポーネント１１００および／またはそれのサブコンポーネントのうちの１つまたは複数、および／またはそれらに関連したデータを定義する１つまたは複数のコンピュータ実行可能なコードを記憶する非一時的コンピュータ可読記憶媒体であり得る。
【０１０１】
[00125]  トランシーバ１００２は、少なくとも１つの受信機１００６および少なくとも１つの送信機１００８を含み得る。受信機１００６は、ハードウェア、ファームウェア、および／またはデータを受信するためにプロセッサによって実行可能なソフトウェアコードを含み得、コードは、命令を備えかつメモリ（例えば、コンピュータ可読媒体）に記憶される。受信機１００６は、例えば、無線周波数（ＲＦ）受信機であり得る。一態様では、受信機１００６は、少なくとも１つの基地局１０５によって送信された信号を受信し得る。さらに、受信機１００６は、そのような受信信号を処理し得、また、限定はされないが、例えば、Ｅｃ／Ｉｏ、ＳＮＲ、ＲＳＲＰ、ＲＳＳＩなどの信号の測定値を取得し得る。送信機１００８は、ハードウェア、ファームウェア、および／またはデータを送信するためにプロセッサによって実行可能なソフトウェアコードを含み得、コードは、命令を備えかつメモリ（例えば、コンピュータ可読媒体）に記憶される。送信機１００８の適切な例は、ＲＦ送信機を含み得るが、それに限定されるわけではない。
【０１０２】
[00126]  一態様では、ＵＥ１１０は、ＲＦフロントエンド１０８８を含み得、それは、例えば、少なくとも１つの基地局１０５ １０５によって送信されたワイヤレス通信などの無線送信、またはＵＥ１１０によって送信されたワイヤレス送信を受信および送信するために、１つまたは複数のアンテナ１０６５およびトランシーバ１００２と通信して動作し得る。ＲＦフロントエンド１０８８は、１つまたは複数のアンテナ１０６５に接続され得、ＲＦ信号を送信および受信するための１つまたは複数の低雑音増幅器（ＬＮＡ）１０９０、１つまたは複数のスイッチ１０９２、１つまたは複数の電力増幅器（ＰＡ）１０９８、および１つまたは複数のフィルタ１０９６を含み得る。
【０１０３】
[00127]  一態様では、ＬＮＡ１０９０は、所望の出力レベルで受信信号を増幅することができる。一態様では、各ＬＮＡ１０９０は、指定された最小および最大利得値を有し得る。一態様では、ＲＦフロントエンド１０８８は、特定のアプリケーションのための所望の利得値に基づいて、特定のＬＮＡ１０９０およびそれの指定された利得値を選択するために、１つまたは複数のスイッチ１０９２を使用し得る。
【０１０４】
[00128]  さらに、例えば、ＲＦ出力送信のための信号を、所望の出力電力レベルで増幅するために、１つまたは複数のＰＡ１０９８がＲＦフロントエンド１０８８によって使用され得る。一態様では、各ＰＡ１０９８は、指定された最小および最大利得値を有し得る。一態様では、ＲＦフロントエンド１０８８は、特定のアプリケーションのための所望の利得値に基づいて、特定のＰＡ１０９８および対応する指定された利得値を選択するために、１つまたは複数のスイッチ１０９２を使用し得る。
【０１０５】
[00129]  また、例えば、１つまたは複数のフィルタ１０９６は、入力ＲＦ信号を取得するために、受信された信号をフィルタするためのＲＦフロントエンド１０８８によって使用され得る。同様に、一態様では、例えば、それぞれのフィルタ１０９６は、送信のための出力信号を生成するために、それぞれのＰＡ１０９８からの出力をフィルタリングし得る。一態様では、各フィルタ１０９６は、特定のＬＮＡ１０９０および／またはＰＡ１０９８に接続され得る。一態様では、ＲＦフロントエンド１０８８は、トランシーバ１００２および／またはプロセッサ１０１２によって指定されるような構成に基づいて、指定されたフィルタ１０９６、ＬＮＡ１０９０、および／またはＰＡ１０９８を使用して送信または受信経路を選択するために、１つまたは複数のスイッチ１０９２を使用することができる。
【０１０６】
[00130]  トランシーバ１００２は、ＲＦフロントエンド１０８８を介して１つまたは複数のアンテナ１０６５を通してワイヤレス信号を送信および受信するように構成され得る。一態様では、トランシーバは、ＵＥ１１０が、例えば、１つまたは複数のＡＰ１０５に関連する１つまたは複数のセルまたは１つまたは複数のＡＰ１０５と通信することができるように、指定された周波数で動作するように調整され得る。一態様では、例えば、モデム１８０は、ＵＥ１１０のＵＥ構成およびモデム１８０によって使用される通信プロトコルに基づいて、指定された周波数および電力レベルで動作するようにトランシーバ１００２を構成することができる。
【０１０７】
[00131]  一態様では、モデム１８０は、マルチバンドマルチモードモデムであり得、それは、デジタルデータを処理し、トランシーバ１００２を使用してデジタルデータが送られ受信されるように、トランシーバ９０２と通信することができる。一態様では、モデム１８０は、マルチバンドであり得、特定の通信プロトコルについて複数の周波数帯域をサポートするように構成されることができる。一態様では、モデム１８０は、マルチモードであり、複数の動作ネットワークおよび通信プロトコルをサポートするように構成されることができる。一態様では、モデム１４０は、指定されたモデム構成に基づいて、ネットワークからの信号の送信および／または受信を可能にするために、ＵＥ１１０の１つまたは複数のコンポーネント（例えば、ＲＦフロントエンド１０８８、トランシーバ１００２）を制御することができる。一態様では、モデム構成は、使用する周波数帯域およびモデムのモードに基づくことができる。別の態様では、モデム構成は、セル選択および／またはセル再選択の間にネットワークによって提供されるような、ＵＥ１１０に関連付けられたＵＥ構成情報に基づくことができる。
【０１０８】
[00132]  添付の図面に関して上述された詳細な説明は、例を記載しており、実装され得るまたは請求項の範囲内にある例のみを表すものではない。この説明で使用されるとき、「例」という用語は、「例、事例、または例示としての役割を果たす」ことを意味し、「より好ましい」または「他の例よりも有利である」ことを意味しない。詳細な説明は、説明される技法の理解を提供する目的で、特定の詳細を含む。しかしながら、これらの技法は、これらの特定の詳細がなくとも実施され得る。いくつかの事例では、周知の構造および装置は、説明された例の概念を曖昧にするのを避けるために、ブロック図形式で示されている。
【０１０９】
[00133]  情報および信号は、様々な異なる技術および技法のうちの任意のものを用いて表わされ得る。例えば、上の説明を通して言及された可能性のあるデータ、命令、コマンド、情報、信号、ビット、シンボル、およびチップは、電圧、電流、電磁波、磁場または磁性粒子、光場または光粒子、コンピュータ可読媒体上に記憶されたコンピュータ実行可能なコードまたは命令、あるいはそれらの任意の組み合わせによって表され得る。
【０１１０】
[00134]  本明細書で本開示に関連して説明された様々な例示的なブロックおよびコンポーネントは、例えば、限定はされないが、本明細書に説明された機能を行うように設計されたプロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはそれらの任意の組み合わせなどの特別にプログラムされたデバイスを用いて実装または実施され得る。特別にプログラムされたプロセッサはマイクロプロセッサであり得るが、代替的に、プロセッサは、任意の従来のプロセッサ、コントローラ、マイクロコントローラ、または状態マシンであり得る。特別にプログラムされたプロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、または任意の他のそのような構成としても実装され得る。
【０１１１】
[00135]  本明細書で説明される機能は、ハードウェア、プロセッサによって実行されるソフトウェア、ファームウェア、またはそれらの任意の組み合わせにおいて実装され得る。プロセッサによって実行されるソフトウェアで実装される場合、それら機能は、非一時的なコンピュータ可読媒体上の１つまたは複数の命令またはコードとして記憶または送信され得る。他の例および実装は、本開示および添付の請求項の精神および範囲内にある。例えば、ソフトウェアの性質により、上記で説明された機能は、特別にプログラムされたプロセッサ、ハードウェア、ファームウェア、ハードワイヤリング、またはこれらの任意の組み合わせによって実行されるソフトウェアを使用して実装され得る。機能を実装する特徴はまた、機能の部分が、異なる物理的ロケーションで実装されるように分散されることを含む、様々な場所に物理的に位置付けられ得る。また、本明細書で使用されるように、請求項を含む、「〜のうちの少なくとも１つ」で始まる項目のリストにおいて使用される「または」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような選言的なリスト（disjunctive list）を示す。
【０１１２】
[00136]  コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定はされないが、例として、コンピュータ可読媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用または専用コンピュータ、あるいは汎用または専用プロセッサによってアクセスされ得る、任意の他の媒体を備え得る。さらに、任意の接続は、コンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ディスク（disk）は通常、データを磁気的に再生し、一方ディスク（disc）は、データをレーザで光学的に再生する。上記の組み合わせもまた、コンピュータ可読媒体の範囲内に含まれる。
【０１１３】
[00137]本開示の前述の説明は、当業者が本開示を作成または使用することができるように提供される。本開示への様々な修正は当業者には容易に明らかであり、本明細書で定義した一般的な原理は、本開示の趣旨または範囲から逸脱することなく他の変形に適用され得る。さらに、説明した態様および／または実施形態の要素は、単数形で説明または特許請求され得るが、単数形への限定が明示的に述べられていない限り、複数形が企図される。さらに、任意の態様および／または実施形態の全てまたは一部は、別段指定されない限り、任意の他の態様および／または実施形態の全てまたは一部とともに利用され得る。よって、本開示は、本明細書で説明する例および設計に限定されるものではなく、本明細書で開示する原理および新規の特徴に合致する最も広い範囲を与えられるべきである。
【図１】
2020517192.tif 000003
【図２】
2020517192.tif 000004
【図３Ａ】
2020517192.tif 000005
【図３Ｂ】
2020517192.tif 000006
【図３Ｃ】
2020517192.tif 000007
【図４】
2020517192.tif 000008
【図５Ａ】
2020517192.tif 000009
【図５Ｂ】
2020517192.tif 000010
【図６】
2020517192.tif 000011
【図７Ａ】
2020517192.tif 000012
【図７Ｂ】
2020517192.tif 000013
【図８Ａ】
2020517192.tif 000014
【図８Ｂ】
2020517192.tif 000015
【図９】
2020517192.tif 000016
【図１０】
2020517192.tif 000017
【国際調査報告】
2020517192.tif 000018
2020517192.tif 000019
2020517192.tif 000020
2020517192.tif 000021